(57)【特許請求の範囲】
【請求項１】
上型と下型の間にワークをセットし、上型の上面に向けてラムを降下させ上型の上面を叩いてプレス加工を行った後、復元機構によって上型を元の位置に戻すようにしたプレス金型であって、前記上型の上面のうち少なくとも前記ラムが当接する部分には、衝撃音の発生を防止する防音シートが貼着され、この防音シートは、独立気泡発泡体からなる下面層と連続気泡発泡体からなる中間層と独立気泡発泡体からなる上面層の３層積層シートから構成されることを特徴とするプレス金型。
【発明の詳細な説明】
【０００１】
【発明の属する技術分野】
本発明は、例えばラムで上型の上面を叩いてプレス加工を行うプレス金型の衝撃音等を減少させる技術に関する。
【０００２】
【従来の技術】
従来、例えばコイル材からブランク材を打抜くようなブランキング用のプレス金型として、クランク機構等によって直接上型を上下動させることなく、上型上のラムを上下駆動し、上型の上面を叩いて上型を降下させ、打抜き加工を行った後、上型をスプリング等で復元させるようなプレス金型が知られており、このような方式の金型は、ラムが上型の上面を叩く際、金属同士が面当たりするため非常に大きな衝撃音等を発している。
【０００３】
一方、プレス金型から発生する騒音を防止するような技術として、例えば実開平６−５９５号のような技術が知られており、この技術では、プレス機械の周囲を防音ケースで覆い、コイル材が通過する開口部に集音器と発音器を配設するとともに、集音器で集音した受音データに基づいて、周波数特性が逆の周波数の発音データを作成し、これを発音器から出力することで、騒音を打ち消すようにしている。
【０００４】
【発明が解決しようとする課題】
ところが、上記のような技術は、プレス機の周囲を防音ケースで覆うため、設備が大型化してスペースを要し、また集音器、発音器、発音信号生成手段等の装置構成が複雑で費用も嵩む等の問題がある。
【０００５】
そこで本発明は、ラムによって上型を叩くようなプレス金型から発生する騒音をより簡素な構成で減少させることを目的とする。
【０００６】
【課題を解決するための手段】
上記目的を達成するため本発明は、請求項１において、上型と下型の間にワークをセットし、上型の上面に向けてラムを降下させ上型の上面を叩いてプレス加工を行った後、復元機構によって上型を元の位置に戻すようにしたプレス金型において、上型の上面であって少なくともラムが当接する部分に、衝撃音の発生を防止する所定厚みの防音シートを貼着するようにした。
【０００７】
このように、少なくともラムに当接する上型の上面に防音シートを貼着することで、ラムが上型上面を叩く時の衝撃音の発生を防止する。
【０００８】
ここで、防音シートの素材は、材料の内部摩擦が大きくて、弾性エネルギーを熱に変換して散逸させる能力が大きく、振動を速やかに減衰させる機能の高い軟質素材、例えばゴム、樹脂、発泡材、フェルト、不織布、織布、またはこれらを積層した材料等、衝撃吸収特性に優れた素材が適用出来る。
因みに、上型上面に凹部空間部を設けている場合には、空間部内で共鳴する共鳴音を外部に漏洩させないため、衝撃吸収特性のみならず吸音特性に優れた素材にすることが好ましい。
【０００９】
また、防音シートの厚みは、ラムの衝撃圧を上型に対して均等に及ばさせるため、あまり厚くすることは好ましくなく、例えば５mm程度以下にする。
すなわち、これ以上厚くなると、ラムが上型上面を均等に押圧することが出来ず、金型が歪む原因となる。
【００１０】
また請求項２では、防音シートを、繊維集合体シート、又は連続気泡を有する発泡体シート、又は繊維集合体或いは連続気泡を有する発泡体の少なくとも一方が積層される積層シートにて構成するようにした。
【００１１】
すなわち、このような繊維集合体又は連続気泡を有する発泡体は、衝撃吸収特性に優れるとともに、空気が繊維の微小な隙間、又は微小な気泡を通して流通する時、空気粘性によって音が吸収される吸音特性に優れた素材であり、例えば上型の上面に凹部空間部が形成されているような場合に、内部で共鳴する共鳴音を吸収して外部に逃がさないような時に特に有効である。
ここで、繊維集合体とは、例えばフェルト、不織布、織布、その他の繊維を集合させた製品であり、この場合、繊維としては天然繊維、化学繊維を問わない。また連続気泡を有する発泡体とは、気泡が連続する発泡樹脂、発泡ゴム等である。
【００１２】
そして、このような衝撃吸収特性と吸音特性の優れた繊維集合体シート、又は連続気泡の発泡体シート、又はこれらを積層した積層シートを使用することで、衝撃音のみならず、共鳴音を減少させ防音効果を一層高めるようにする。
【００１３】
【発明の実施の形態】
本発明の実施の形態について添付した図面に基づき説明する。
ここで図１は本プレス金型が適用されるブランキング金型の説明図、図２は金型の上型上面に凹部空間部を形成している場合の斜視図、図３は上型上面の全域に防音シートを貼着した実施例の部分断面図である。
【００１４】
本発明に係るプレス金型は、例えば図１に示すようなブランキング金型１において、ブランク材を打抜き加工する際発生する衝撃音、共鳴音のような騒音を減少させることが出来るようにされ、このブランキング金型１は、いわゆるタタキ型として構成されている。
【００１５】
すなわち、このブランキング金型１は、機台２上の下型３と、この下型３の四隅に配設される複数のガイドバー４、…及び復元バネ５、…によって支持される上型６と、この上型６の上方で上下駆動されるラム７を備え、アンコイラ８から巻き出されるコイル材１０を下型３と上型６の間に通してセットし、ラム７を降下させることで、上型６の上面を叩き、上型６と下型３によってブランク材を打抜き加工するようにしている。
【００１６】
このため、ラム７が上型６を叩く時に非常に大きな騒音となり、本発明では、上型６の上面のうち少なくともラム７に当接する部分に、衝撃音の発生を防止する防音シートを貼着するようにしている。
【００１７】
ここで、ラム７が上型６を叩く時の衝撃音を小さくするための防音シートとしては、例えば材料の内部摩擦が大きく、また弾性エネルギーを散逸させて振動を減衰させる機能の高い材料が好ましく、例えばゴム、樹脂、発泡材、フェルト、不織布、織布、又はこれらを任意の組合わせで積層した積層体等の材料が適用出来る。
【００１８】
一方、上型６の上面に、軽量化のため局所的に凹部空間部が形成されている場合は、衝撃音が凹部空間部で共鳴し更に大きな騒音となるため、衝撃音の発生を抑制するだけでなく、吸音特性も兼ね備えた材料が好ましい。
このため、この場合の防音シートとしては、空気の通る微小な隙間を多数有し、これら隙間を通る空気の粘性によって音を吸収する吸音作用の高い材料が好ましい。
【００１９】
ここで、凹部空間部が形成されている場合の防音シートの貼着は、上型６の上面全域に貼着することが吸音効果を高めるのに有効であるが、凹部空間部を除くラム当接面に貼着するだけでも効果がある。
【００２０】
また、防音シートの厚みは、あまり厚くするとラム７の衝撃力を上型６上面に均等に伝えることが出来ず、上型６が歪む原因になるため、例えば５mm以下の厚みにする。
【００２１】
また、前記のような吸音作用の高い材料として、フェルト、不織布、敷布等の繊維集合体とか、連続気泡を有する発泡体等が適用出来る。そして繊維集合体の繊維の場合は、天然繊維であっても化学繊維であっても良い。
【００２２】
また連続気泡を有する発泡体の防音シート一例として、例えば独立気泡発泡体からなる下面層と、連続気泡発泡体からなる中間層と、独立気泡発泡体からなる上面層の３層積層シート等が適用出来る。
【００２３】
この場合、下面層の発泡体としては、例えば１，２ポリブタジエン７０重量部に対して、粘弾性体としての天然ゴムが３０重量部、アスファルト５０重量部、無機フィラー（マイカ）３００重量部、可塑剤４０重量部、硫黄３０重量部、発泡剤としてのＤＰＴ（ジニトロソペンタメチレンテトラミン）１０重量部、発泡助剤としての尿素化合物１０重量部等とされ、発泡率が２倍で独立気泡が形成されたものとする。
【００２４】
また中間層の発泡体は、１，２ポリブタジエン５０重量部に対して、天然ゴム５０重量部、無機フィラー（マイカ）３００重量部、可塑剤１００重量部、ＡＤＣＡ（アゾジカルボンアミド）とＤＰＴ（ジニトロソペンタメチレンテトラミン）の混合物からなる発泡剤２０重量部等とされ、発泡率が５倍で連続気泡が形成されたものとする。
【００２５】
また上面層の発泡体は、１，２ポリブタジエン５０重量部に対して、天然ゴムを５０重量部、無機フィラー（マイカ）３００重量部、可塑剤１００重量部、ＤＰＴ（ジニトロソペンタメチレンテトラミン）１０重量部、尿素化合物１０重量部等からなるものであり、発泡率が３倍で独立気泡が形成されたものとする。
【００２６】
そしてこのように連続気泡を有する中間層の発泡体を、独立気泡の上面層、下面層でサンドイッチ状に積層することで、衝撃音の発生防止と共鳴音の吸音による防音効果を得るようにする。
【００２７】
以下、具体的な実施例について説明する。
（実施例）
図２に示すように、上面に軽量化のための凹部空間部Ｃが形成されている上型６に対し、図３に示すように、上面全域に防音シート１１を貼着した。ここで防音シート１１として、ポリプロピレン製繊維の不織布にポリ塩化ビニル製の裏材を裏張りした繊維成形体主体のシートを使用し、上型６の凹部空間部Ｃ以外のラム接触面に両面テープ１２にて貼着した。この際、ポリ塩化ビニル製の裏材側を上型６側に向けて接着能力を高めるようにし、またシートの厚みは３．２mmとした。
この結果、防音シート１１を貼着することにより、約１２db程度の騒音防止が図られ、極めて有効であることが確認された。
【００２８】
尚、上記裏材の裏面側に更に発泡剤層を形成した防音シート１１を使用しても良い。
この場合、発泡剤として、例えばＤＰＴ（ジニトロソペンタメチレンテトラミン）、ＡＤＣＡ（アゾジカルボンアミド）、ＴＳＨ（ｐ−トルエンスルフォニルヒドラジド）、ＯＢＳＨ（４，４´−オキシビスベンゼンスルフォニルヒドラジド）等が使用出来、例えばＤＰＴの場合、ポリマー成分１００重量部に対し、１〜５重量部とし、助剤として尿素及びその誘導体等を使用することが出来る。
【００２９】
また、この実施例では、ラム７に叩かれる上型６に歪み等の不具合は発生せず、また加工性も良好なため、ラム７による衝撃荷重は上型６に均等に分散しているものと考えられる。
【００３０】
尚、本発明は以上のような実施形態に限定されるものではない。本発明の特許請求の範囲に記載した事項と実質的に同一に構成を有し、同一の作用効果を奏するものは本発明の技術的範囲に属する。
例えば防音シート１１の材料は実施形態以外にフェルト、或いは織布等を利用するようにしても良く、また貼着方法等も任意である。
またブランキング金型１以外のプレス型に適用することも可能であり、更に、上型６上面に凹部空間部Ｃが形成されていない場合にも適用出来る。
【００３１】
【発明の効果】
以上のように本発明に係るプレス金型は、請求項１のように、ラムによって上型の上面を叩いてプレス加工を行うようなプレス金型において、上型の上面のうち少なくともラムが当接する部分に、衝撃音を吸収する所定厚みの防音シートを貼着するようにしたため、ラムが上型上面を叩く時の衝撃音を減少させることが出来る。
また請求項２のように、防音シートを、繊維集合体シート、又は連続気泡を有する発泡体シート、又は繊維集合体か連続気泡を有する発泡体の少なくとも一方が積層される積層シートにて構成すれば、特に上型の上面に凹部空間部が形成されているような場合に、凹部空間部内で共鳴する共鳴音を吸収するため一層防音効果を高めることが出来る。
【図面の簡単な説明】
【図１】本プレス金型が適用されるブランキング金型の説明図
【図２】金型の上型上面に凹部空間部を形成している場合の斜視図
【図３】上型上面の全域に防音シートを貼着した実施例の部分断面図
【符号の説明】
１…ブランキング金型、３…下型、４…ガイドバー、５…復元バネ、６…上型、７…ラム、１１…防音シート。
【図１】
0003824395.tif 000002
【図２】
0003824395.tif 000003
【図３】
0003824395.tif 000004